【手続補正書】
【提出日】平成18年4月27日(2006.4.27)
【手続補正１】
【補正対象書類名】特許請求の範囲
【補正対象項目名】全文
【補正方法】変更
【補正の内容】
【特許請求の範囲】
【請求項１】
複数の個人の医療記録を含む少なくとも１つのデータベースと、
前記データベースに接続されたコンピュータネットワークと、
前記コンピュータネットワークと通信状態にある複数のモバイルコンピューティングデバイスとを含む医療情報システムであって、
前記デバイスの各々が、
患者のリストを保持する手段と、
前記患者および新しく入力された患者の少なくとも１人に関する情報をユーザーから受け取る手段であって、前記情報が患者の健康に関する情報である手段と、
前記情報を完成するために必要な前記情報の部分を自動的に補完する手段とを有する医療情報システム。
【請求項２】
前記モバイルコンピューティングデバイスの各々がＥＩＣと通信を行う手段を含む、請求項１記載のシステム。
【請求項３】
前記コンピュータネットワークと通信状態にある複数の接続ノードを更に含み、前記接続ノードの各々が少なくとも１つのモバイルコンピューティングデバイスと通信状態にある、請求項１記載のシステム。
【請求項４】
前記情報の部分を自動的に補完する手段が、場所および負傷のタイプを使用してユーザーが入力した負傷の説明を提供し、前記説明をＩＣＤ９コードに関連付ける、請求項１記載のシステム。
【請求項５】
長期的医療記録をディジタル記録として作成する方法であって、
医療施設から離れた場所で患者の健康に関わる出来事に関する情報をモバイルコンピューティングデバイスに入力することと、
前記健康に関わる出来事および患者に関する情報をディジタルフォーマットで前記医療施設に転送することと、
医療センターにおける治療の期間中に患者に関する追加の情報を蓄積することと
を含む方法。
【請求項６】
前記入力工程が、
個人のリストから選択された患者を受け取ることと、
前記健康に関わる出来事に関する情報を受け取るためのインターフェースを表示することと、
前記健康に関わる出来事に関する情報に基づいて説明を提供することと、
一連の治療内容を勧告することと、
前記健康に関わる出来事に関するディジタル記録を作成することと
を含む、請求項５記載の方法。
【請求項７】
前記転送工程が、
前記ディジタル記録をコンピュータで読み取り可能な媒体にロードすることと、
前記コンピュータで読み取り可能な媒体を前記医療センターに供給することと、
前記コンピュータで読み取り可能な媒体から前記ディジタル記録を前記医療センターのデータベースにロードすることと
を含む、請求項６記載の方法。
【請求項８】
前記転送工程が、前記ディジタル記録を無線で前記医療センターに送信することを含む、請求項６記載の方法。
【請求項９】
コンピューティングシステムによって読み取り可能な搬送波に組み込まれたデータ信号、および前記入力工程のために請求項６記載の方法を行うプロセスを実行するための符号化命令。
【請求項１０】
前記入力工程のために請求項６記載の方法のためのコンピュータで実行可能な命令を有するコンピュータで読み取り可能な媒体。
【請求項１１】
患者が受けた負傷に関する情報をユーザーが受け取る方法であって、
負傷のタイプと、
当該負傷の分類と、
人体の図形的な表現と、
投薬セクションと、
生命兆候と
を含む一般的な負傷に関する一連の問い合わせを有するインターフェースを表示することと、
前記負傷のタイプおよび前記負傷の分類に対するユーザーの指定を受け取ることと、
ユーザーによる少なくとも１つの身体部分のタッピングに基づく負傷の部位を受け取ることと、
前記負傷の分類に基づくリストから選択された負傷に関する追加の情報を受け取ることと、
前記受け取った情報に基づいて負傷の要約を提供することと、
前記受け取った情報に基づいて患者の意識レベルを推定することと、
ユーザーから前記意識レベルの確認を受け取ることと、
行った投薬に関する情報を受け取ることと、
生命兆候の情報を受け取ることと、
ユーザーから受け取った前記情報に基づいて一連の処置内容を勧告することと、
患者の処置に関する情報を要求することと
を含む方法。
【請求項１２】
コンピューティングシステムによって読み取り可能な搬送波に組み込まれたデータ信号、および請求項１１記載の方法を行うプロセスを実行するための符号化命令。
【請求項１３】
請求項１１記載の方法のためのコンピュータで実行可能な命令を有するコンピュータで読み取り可能な媒体。
【請求項１４】
評価情報の更新に対する要求を受け取ることと、
負傷に関する情報を受け取るための別のインターフェースを表示することと、
負傷に関する追加の情報を受け取ることと
を更に含む、請求項１１記載の方法。
【請求項１５】
コンピュータで読み取り可能な媒体から患者の識別情報を受け取ることと、
ユーザーによって入力された情報のディジタル記録を集積することと、
前記ディジタル記録をコンピュータで読み取り可能な媒体にコピーすることと
を更に含む、請求項１１記載の方法。
【請求項１６】
ユーザーからの要求に基づいて参照情報を提供することを更に含む、請求項１１記載の方法。
【請求項１７】
前記患者が犬である、請求項１１記載の方法。
【請求項１８】
疫学情報を受け取ることを更に含む、請求項１１記載の方法。
【請求項１９】
患者に装着されたモニター装置から生命兆候情報を要求することと、
前記モニター装置から生命兆候情報を受け取ることと、
前記受け取った生命兆候情報を患者の医療記録に追加することと
を更に含む、請求項１１記載の方法。
【請求項２０】
医療情報を収集してワークフォースのために前記医療情報の記録作成を助ける方法であって、
前記ワークフォースの中の１人の個人に関する医療および身上情報を含む複数の個人識別カードを作成することと、
その情報が前記個人識別カードに含まれている個人に、それぞれの個人識別カードを割り当てることと、
前記ワークフォースの医療スタッフメンバーによる使用のための複数のモバイルコンピューティングデバイスが、前記ワークフォースのメンバーに関する追加の健康情報を受け取るためのソフトウェアを保有するように準備することと、
前記モバイルコンピューティングデバイスの使用方法、および前記個人識別カードと前記モバイルコンピューティングデバイスとの間でデータを交換する方法を医療スタッフメンバーに教示することと、
負傷したワークフォースのメンバーを治療するときに
前記負傷したワークフォースのメンバーの個人識別カードを前記モバイルコンピューティングデバイスに接続することと、
当該負傷に関する前線医療記録を作成することと、
処置が行われるまで患者のモニターを継続することと、
前記前線医療記録を前記個人識別カードに転送することと、
当該負傷したワークフォースメンバーが医療施設に送られるときに、
前記個人識別カードから前記前線医療記録を医療センターのデータベースにロードして長期的医療記録を作成することと
を含む方法。
【請求項２１】
負傷した個人の治療中に資材の使用を追跡することと、
資材中に含まれる特定の品目が閾値に達するときに、
上記閾値に達した当該品目の追加数量の要求を送信することと、
当該品目が少ないことを反映して治療の勧告を変更することと
を更に含む、請求項２０記載の方法。
【請求項２２】
動物の負傷に対する医療記録を作成する方法であって、
動物の名前その他の識別子を受け取ることと、
上記動物の名前および負傷タイプの要求、負傷の分類、動物の身体の図形的な表現、投薬セクション、および生命兆候セクションを表示することと、
前記負傷タイプおよび負傷の分類に対するユーザーの指定を受け取ることと、
負傷の部位を指定する動物の少なくとも１つの身体部分のタッピングを受け取ることと、
前記負傷の分類に基づくリストから選択された負傷に関する追加の情報を受け取ることと、
前記受け取った情報に基づいて負傷の要約を提供することと、
前記受け取った情報に基づいて患者の意識レベルを推定することと、
ユーザーから前記意識レベルの確認を受け取ることと、
行った投薬に関する情報を受け取ることと、
生命兆候の情報を受け取ることと、
前記ユーザーから受け取った情報に基づいて一連の処置内容を勧告することと、
動物の処置に関する情報を要求することと
を含む方法。
【請求項２３】
追加情報を入力するためのインターフェースが要求されたときに、動物の生命兆候の何らかの変化を含む負傷に関する追加の情報を受け取るためのインターフェースを表示することを更に含む、請求項２２記載の方法。
【請求項２４】
ワークフォースの健康および医療記録を保持するシステムであって、
ネットワークと、
前記個人識別カードを有する個人の医療記録を保有する少なくとも１つのデータベースと、
複数の個人識別カードと、
前記個人識別カードおよび前記ネットワークと通信可能な複数のモバイルコンピューティングデバイスであって、各々のデバイスが医療情報を受け取り、負傷に対する治療を勧告し、かつ前記医療情報を前記データベースに転送するためのソフトウェアを有するデバイスと
を含むシステム。
【請求項２５】
前記ネットワークが無線および有線部分を含み、イントラネットである、請求項２４記載のシステム。
【請求項２６】
図に示され、また上で説明されたインターフェースを提供するためのモバイルコンピューティングデバイス用ソフトウェア。
【請求項２７】
前記複数のモバイルコンピューティングデバイスの各々が、ある場所からモバイルコンピューティングデバイスへの前記情報の転送を可能にするインポート機能を含む、請求項１記載のシステム。
【請求項２８】
前記複数のモバイルコンピューティングデバイスが、前記情報を共有できる、請求項１記載のシステム。
【請求項２９】
前記複数のモバイルコンピューティングデバイスが、個人に関する医療情報を記録し、見るための様々な電子フォームおよびデータ入力インターフェースを含む、請求項１記載のシステム。
【請求項３０】
前記電子フォームおよびデータ入力インターフェースが個人の配備適性、歯科医療、アレルギー、眼鏡、予防接種、疾病、投薬、検査、患者遭遇、再評価、疫学、精神的健康、負傷、生命兆候、治療的解決、処置、環境被爆、調査、診断、病訴、身体的知見および医学的報告に関する情報を含む、請求項２９記載のシステム。
【請求項３１】
前記転送工程が、前記情報が前記医療施設に転送される前に、少なくとも１つの通信ノードに前記情報を転送する間欠的な工程を含む、請求項５記載の方法。
【請求項３２】
前記入力工程が新しい個人を追加することを含む、請求項５記載の方法。
【請求項３３】
前記モバイルコンピューティングデバイスから様々な遠隔データベースに前記情報をエクスポートすることを更に含む、請求項５記載の方法。
【請求項３４】
前記エクスポートする工程が、前記モバイルコンピューティングデバイスから、前記デバイスに挿入されたＥＩＣに情報を転送することと、電子的にデータベースに結合されたコンピュータと同期されるポートに前記ＥＩＣを挿入することにより前記ＥＩＣから情報を前記医療施設に転送することとを含む、請求項５記載の方法。
【請求項３５】
前記エクスポートする工程が、
前記情報を前記モバイルコンピューティングデバイス上のエクスポートディレクトリに保存することと、
同期プロセスの一部として少なくとも１つのファイルを電子的に特定のデータベースに結合されたホストコンピュータにコピーすることと
を含む、請求項３４記載の方法。
【請求項３６】
前記情報をＥＩＣから前記モバイルコンピューティングデバイスにインポートすることを更に含む、請求項５記載の方法。
【請求項３７】
前記インポートする工程が、
前記ＥＩＣと前記モバイルコンピューティングデバイスとの間で通信リンクを確立することと、
前記ＥＩＣが、関連する個人の情報が現在前記モバイルコンピューティングデバイス内にあるかどうかを判定することと、
前記個人が前記モバイルコンピューティングデバイスに無い場合に、前記個人に関する情報を前記ＥＩＣから前記モバイルコンピューティングデバイスに転送することと、
前記ＥＩＣに基づいて前記モバイルコンピューティングデバイス内の前記個人に関する身上情報を更新することと
を含む、請求項３６記載の方法。
【請求項３８】
前記確立する工程の前に、
その医療情報が前記ＥＩＣに転送される個人の選択を受け取ることと、
前記ＥＩＣを前記モバイルコンピューティングデバイス内に受け取ることと、
前記ＥＩＣをフォーマットするために前記モバイルコンピューティングデバイス上のソフトウェアを実行すること
を更に含む、請求項３７記載の方法。
【請求項３９】
前記入力工程が配備前検査に関する情報を受け取ることを含む、請求項５記載の方法。
【請求項４０】
前記配備前検査が、
前記配備前に関する位置および作戦情報を受け取ることと、
遂行すべきタスクの状態に関する一連の質問を提供することと、
配備前の個人の健康を評価することと、
配備前の前記個人が配備に適しているかどうかを前記評価に基づいて判定することと
を含む、請求項３９記載の方法。
【請求項４１】
少なくとも１つの食品供給サイトの衛生状態の電子記録を保持することを更に含む、請求項５記載の方法。
【請求項４２】
前記保持する工程が、
前記少なくとも１つの食品供給サイトに対して行うべき衛生状態を評価する監査のタイプの選択を許すことと、
前記少なくとも１つの食品供給サイトに関する少なくとも１つの知見を受け取ることと、
前記少なくとも１つの知見を見出すために用いた方法に関する情報を受け取ることと、
前記少なくとも１つの食品供給サイトの衛生状態に関する格付け情報を受け取ることと
を含む、請求項４１記載の方法。
【請求項４３】
前記入力工程における前記情報が音声認識により入力される、請求項５記載の方法。
【請求項４４】
特定の医学的問題を有する個人に医療的援助を提供する設備を有する医療施設を指定することを更に含み、前記指定された医療施設が前記モバイルコンピューティングデバイスを使用する個人の地理的位置に基づく所定の地理的範囲内にある、請求項５記載の方法。
【請求項４５】
前記設備を有する医療施設での医療専門家との連絡情報を提供することを更に含む、請求項４４記載の方法。
【請求項４６】
前記の個人が現在いる場所から、前記の設備を有する医療施設へ行くための地理的な指示を提供することを更に含む、請求項４５記載の方法。
【請求項４７】
前記入力工程の後で、重要な領域にマークを付けた生体の図形的表現を表示することを更に含む、請求項５記載の方法。
【請求項４８】
個人が受けた負傷または条件に関する情報を受け取ることと、
前記図形的表現上での前記負傷または条件の位置に対応する部位に関する選択を受け取ることと、
前記図形的表現にユーザーが前記選択を示すマーキングをすることを許容することと
を更に含む、請求項４７記載の方法。
【請求項４９】
前記入力工程の後で、
医療資材の在庫の使用状況を追跡することと、
前記資材の数量が所定の閾値に近づいたときに、追加の医療資材に対する要求を前記モバイルコンピューティングデバイスから送信することと
を更に含む、請求項５記載の方法。
【請求項５０】
前記追跡工程が、少なくとも１つの医療用製品の在庫への出入りを電子的にスキャンすることを含む、請求項４９記載の方法。
【請求項５１】
前記送信工程の後で、前記閾値に達したときに代替治療法を提案することを更に含む、請求項４９記載の方法。
【請求項５２】
複数の個人の医療情報を処理する医療情報システムであって、
複数の個人の医療記録を含む少なくとも１つのデータベースと、
前記少なくとも１つのデータベースと通信状態にある複数のモバイルコンピューティングデバイスとを含むシステムであって、
前記デバイスの各々が
個人に結びついた電子情報キャリアと通信を行う手段であって、前記電子情報キャリアが特定の個人に関する医療情報を有する手段と、
個人のリストを保持する手段と、
前記個人のうち少なくとも１人に関する医療情報をユーザーから受け取る手段とを含むシステム。
【請求項５３】
前記複数のモバイルコンピューティングデバイスの各々が医療情報を処理するソフトウェアを含む、請求項５２記載のシステム。
【請求項５４】
前記ソフトウェアが個人を選択し、個人を追加し、個人を編集し、個人の配備適性を提示し、新しい前線カードを作成し、患者遭遇を作成し、検査を行い、そして報告するためのソフトウェアを更に含む、請求項５３記載のシステム。
【請求項５５】
前記ソフトウェアがプロバイダのセッティング、システムのセッティング、個人の追加および個人の削除のための管理ソフトウェアを更に含む、請求項５３記載のシステム。
【請求項５６】
前記通信手段がエクスポートにより行われる、請求項５２記載のシステム。
【請求項５７】
前記複数のモバイルコンピューティングデバイスが前記医療情報を前記データベースにエクスポートする手段を更に含む、請求項５２記載のシステム。
【請求項５８】
前記エクスポート機能により、前記コンピュータシステムのインターネットプロトコルアドレスを指定することで、前記医療情報を少なくとも１つのコンピュータシステムに送信することができる、請求項５６記載のシステム。
【請求項５９】
前記ソフトウェアが新しいＥＩＣを作成するためのソフトウェアを更に含む、請求項５３記載のシステム。
【請求項６０】
前記ソフトウェアが、食品供給サイトの衛生状態の文書化を可能にする食品安全調査ソフトウェアを更に含む、請求項５３記載のシステム。
【請求項６１】
前記食品安全調査ソフトウェアが検査ユーザーインターフェースを表示する、請求項６０記載のシステム。
【請求項６２】
前記検査ユーザーインターフェースが、食品供給者に関する情報を受け取るための供給業者フィールドを含む、請求項６１記載のシステム。
【請求項６３】
前記検査ユーザーインターフェースが、前記食品供給者の環境を分析するための監査を行うためのインターフェースを更に含む、請求項６１記載のシステム。
【請求項６４】
前記検査ユーザーインターフェースが、前記食品供給者に関する前記食品安全調査の結果に関する情報を受け取るインターフェースを更に含む、請求項６１記載のシステム。
【請求項６５】
前記検査ユーザーインターフェースが、前記食品安全調査を行う特定のタイプの方法を受け取るためのインターフェースを更に含む、請求項６１記載のシステム。
【請求項６６】
前記検査ユーザーインターフェースが、前記食品供給サイトの状態を格付けするためのインターフェースを更に含む、請求項６１記載のシステム。
【請求項６７】
前記食品安全検査調査ソフトウェアが、前記食品安全調査に関する情報を伝えるための報告を作成する、請求項６０記載のシステム。
【請求項６８】
前記ソフトウェアが、個人の精神状態を判定するための作戦ストレスソフトウェアを更に含む、請求項５３記載のシステム。
【請求項６９】
前記ソフトウェアが研究対象の疾病に関する臨床研究および症候学をフォローする症候学ソフトウェアを更に含む、請求項５３記載のシステム。
【請求項７０】
前記ソフトウェアが、音声を介して個人が様々なタイプのシステムのプロンプトに応答することを可能にする発話認識ソフトウェアを更に含む、請求項５３記載のシステム。
【請求項７１】
前記ソフトウェアが、特定の健康問題を対象とする設備を有する医療施設の位置を示すＧＰＳ機能を更に含む、請求項５３記載のシステム。
【請求項７２】
前記ＧＰＳ機能が医療専門家に関するデータベースの情報と前記医療施設への地理的な指示とを含む、請求項７１記載のシステム。
【請求項７３】
前記ソフトウェアが特定の健康問題を対象とする資源を有する医療施設の位置を示すためのソフトウェアを更に含む、請求項７１記載のシステム。
【請求項７４】
コンピュータにソフトウェアを実行させるためのコンピュータで読み取り可能なプログラムコード手段がその中に組み込まれたコンピュータで使用可能な媒体を含む製造品目であって、
前記ソフトウェアが、
個人に関連付けられた電子情報キャリアがコンピュータと通信を行うことを可能にするためのコンピュータで読み取り可能な命令の第一の組と、
個人のリストを保持するためのコンピュータで読み取り可能な命令の第二の組と、
前記個人の少なくとも１人に関する医療情報をユーザーから受け取るためのコンピュータで読み取り可能な命令の第三の組とを含む
製造品目。
【請求項７５】
長期的医療記録をディジタル記録として作成する方法であって、
医療施設から離れた場所で患者の健康に関わる出来事に関する情報をモバイルコンピューティングデバイスに受け取ることと、
前記患者の健康に関わる出来事に関する情報および／または当該患者に関する情報をディジタルフォーマットで前記医療施設に転送することと、
医療センターにおける治療の期間中に当該患者に関する追加の情報を蓄積することとを含み、
前記転送することが、
前記情報が前記医療施設に転送される前に、少なくとも１つの通信ノードに前記情報を間欠的に転送すること、および
前記モバイルコンピューティングデバイスから、前記デバイスに挿入された情報キャリアに前記情報を転送し、そして、電子的にデータベースに結合されたコンピュータと同期することにより、前記情報キャリアから前記医療施設に前記情報を転送すること
の少なくとも１つを含む方法。
【請求項７６】
前記受け取る工程が、
個人のリストから前記患者の選択を受け取ることと、
前記健康に関わる出来事に関する情報を受け取るためのインターフェースを表示することと、
前記健康に関わる出来事に関する情報を受け取ることと、
前記健康に関わる出来事に関する情報に基づいて説明を提供することと、
一連の治療内容を勧告することと、
前記健康に関わる出来事に関するディジタル記録を集積することと
を含む、請求項７５記載の方法。
【請求項７７】
前記転送工程が、前記ディジタル記録を無線で前記医療センターに送信することを含む、請求項７５または７６記載の方法。
【請求項７８】
前記転送工程が、
前記情報を前記モバイルコンピューティングデバイス上のエクスポートディレクトリに保存することと、
同期プロセスの一部として少なくとも１つのファイルを電子的に特定のデータベースに結合されたホストコンピュータにコピーすることと
を含む、請求項７５または７６記載の方法。
【請求項７９】
前記情報を前記情報キャリアから前記モバイルコンピューティングデバイスにインポートすることを更に含む、請求項７５ないし７８のいずれかに記載の方法。
【請求項８０】
前記インポートする工程が、
前記情報キャリアと前記モバイルコンピューティングデバイスとの間で通信リンクを確立することと、
前記情報キャリアに関連する個人の情報が、現在前記モバイルコンピューティングデバイス内にあるかどうかを判定することと、
前記個人が前記モバイルコンピューティングデバイスに無い場合に、前記情報を、前記個人に関連する前記情報キャリアから前記モバイルコンピューティングデバイスに転送することと、
前記情報キャリアの情報に基づいて前記モバイルコンピューティングデバイス内の前記個人に関する身上情報を更新することと
を含む、請求項７９記載の方法。
【請求項８１】
前記インポート工程が、
その医療情報が前記情報キャリアに転送される個人の選択を受け取ることと、
前記情報キャリアを前記モバイルコンピューティングデバイス内に受け取ることと、
前記情報キャリアをフォーマットするために前記モバイルコンピューティングデバイス上のソフトウェアを実行すること
を含む、請求項７９または８０記載の方法。
【請求項８２】
前記受け取る工程が、配備前検査に関する情報を受け取ることを含む、請求項７５ないし８１のいずれかに記載の方法。
【請求項８３】
前記配備前検査が、
前記配備前に関する位置および作戦情報を受け取ることと、
遂行すべきタスクの状態に関する一連の質問を提供することと、
配備前の個人の健康を評価することと、
配備前の前記個人が配備に適しているかどうかを前記評価に基づいて判定することと
を含む、請求項８２記載の方法。
【請求項８４】
前記受け取る工程の後で、
重要な領域にマークを付けた生体の図形的表現を表示することと、
個人が受けた負傷または条件に関する情報を受け取ることと、
前記図形的表現上での前記負傷または条件の位置に対応する部位に関する選択を受け取ることと、
前記図形的表現にユーザーが前記選択を示すマーキングをすることを許容することと
を更に含む、請求項７５ないし８３のいずれかに記載の方法。
【請求項８５】
患者が受けた負傷に関する情報をユーザーが受け取る方法であって、
負傷のタイプと、
当該負傷の分類と、
人体の図形的な表現と、
投薬セクションと、
生命兆候と
を含む一般的な負傷に関する一連の問い合わせを有するインターフェースを表示することと、
前記負傷のタイプおよび前記負傷の分類に対するユーザーの指定を受け取ることと、
少なくとも１つの身体部分を選択するユーザーに基づく前記負傷の部位を受け取ることと、
前記負傷の分類に基づくリストから選択された負傷に関する追加の情報を受け取ることと、
前記受け取った情報に基づいて負傷の要約を提供することと、
前記受け取った情報に基づいて患者の意識レベルを推定することと、
前記ユーザーから前記意識レベルの確認を受け取ることと、
行った投薬に関する情報を受け取ることと、
生命兆候の情報を受け取ることと、
ユーザーから受け取った前記情報に基づいて一連の処置内容を勧告することと、
患者の処置に関する情報を要求することと
を含む方法。
【請求項８６】
患者の状態の更新要求を受け取ることと、
負傷に関する情報を受け取るための別のインターフェースを表示することと、
負傷に関する追加の情報を受け取ることと
を更に含む、請求項８５記載の方法。
【請求項８７】
コンピュータで読み取り可能な媒体から患者の識別情報を受け取ることと、
ユーザーによって入力された情報のディジタル記録を集積することと、
前記ディジタル記録を前記コンピュータで読み取り可能な媒体にコピーすることと
を更に含む、請求項８５または８６記載の方法。
【請求項８８】
患者に装着されたモニター装置から生命兆候情報を要求することと、
前記モニター装置から生命兆候情報を受け取ることと、
前記受け取った生命兆候情報を患者の医療記録に追加することと
を更に含む、請求項８５ないし８７のいずれかに記載の方法。
【請求項８９】
前記患者が動物である、請求項８５ないし８８のいずれかに記載の方法。
【請求項９０】
複数の個人の医療記録を含む少なくとも１つのデータベースと、
前記データベースに接続されたコンピュータネットワークと、
前記コンピュータネットワークと通信状態にある複数のモバイルコンピューティングデバイスとを含む医療情報システムであって、
前記デバイスの各々が、
前記モバイルコンピューティングデバイスと関係する個人のリストを保持する手段と、
すでに入力された個人または新しく入力された個人に関する情報をユーザーから受け取る手段であって、前記情報は個人の健康に関するものであり、前記受け取る手段は、個人に関する医療情報を記録し、見るための様々な電子フォームおよびデータ入力インターフェースを含み、前記フォームおよびインターフェースは、個人の配備適性、歯科医療、アレルギー、眼鏡、予防接種、疾病、投薬、検査、患者遭遇、再評価、疫学、精神的健康、負傷、生命兆候、治療的解決、処置、環境被爆、調査、診断、病訴、身体的知見および医学的報告の少なくとも１つに関する情報を含む手段と、
前記電子フォームを完成するために必要な前記情報の部分を自動的に補完する手段とを有する医療情報システム。
【請求項９１】
前記モバイルコンピューティングデバイスの各々が、電子情報キャリアと通信を行う手段を含む、請求項９０記載のシステム。
【請求項９２】
前記コンピュータネットワークと通信状態にある複数の接続ノードを更に含み、前記接続ノードの各々が少なくとも１つのモバイルコンピューティングデバイスと通信状態にある、請求項９０または９１記載のシステム。
【請求項９３】
前記情報の部分を自動的に補完する手段が、場所および負傷のタイプを使用してユーザーが入力した負傷の説明を提供し、前記説明を医療コードまたは保険コードに関連付ける、請求項９０ないし９２のいずれかに記載のシステム。
【請求項９４】
医療情報を収集してワークフォースのために前記医療情報の記録作成を助ける方法であって、
前記ワークフォースの中の１人の個人に関する医療および身上情報を含む複数の個人識別カードを作成することと、
その情報が前記個人識別カードに含まれている個人に、その個人識別カードを割り当てることと、
前記ワークフォースの医療スタッフメンバーによる使用のための複数のモバイルコンピューティングデバイスが、ワークフォースのメンバーに関する追加の健康情報を受け取るための手段を保有するように準備することと、
前記モバイルコンピューティングデバイスの使用方法、および前記個人識別カードと前記モバイルコンピューティングデバイスとの間でデータを交換する方法を医療スタッフメンバーに教示することと、
負傷したワークフォースのメンバーを治療するときに
前記負傷したワークフォースのメンバーの個人識別カードを前記モバイルコンピューティングデバイスに接続することと、
当該負傷に関する医療記録を作成することと、
処置が行われるまで個人のモニターを継続することと、
前記医療記録を前記個人識別カードに転送することと、
当該負傷したワークフォースメンバーが医療施設に送られるときに、
前記個人識別カードから前記医療記録を医療センターのデータベースにロードして長期的医療記録を作成することと
を含む方法。
【請求項９５】
負傷した個人の治療中に資材の使用を追跡することと、
資材中に含まれる特定の品目が閾値に達するときに、
前記閾値に達した当該品目の追加数量の要求を送信することと、
当該品目が少ないことを反映して治療の勧告を変更することと
を更に含む、請求項９４記載の方法。
【請求項９６】
ワークフォースの健康および医療記録を保持するシステムであって、
ネットワークと、
複数の個人識別カードと、
前記個人識別カードを有する個人の医療記録を保有する少なくとも１つのデータベースと、
前記個人識別カードおよび前記ネットワークと通信可能な複数のモバイルコンピューティングデバイスであって、各々のデバイスが医療情報を受け取り、負傷に対する治療を勧告し、かつ前記医療情報を前記データベースに転送するための手段を有するデバイスと
を含むシステム。
【請求項９７】
前記ネットワークが無線および有線部分を含み、イントラネットである、請求項９６記載のシステム。
【請求項９８】
少なくとも１つのユーザーインターフェースを備え、コンピュータネットワークと通信するためのモバイルコンピューティングデバイスであって、
前記少なくとも１つのユーザーインターフェースが、
ユーザーが負傷を選択することを許容する手段と、
ユーザーが電子的な身体図において当該負傷の位置を示すことを許容する手段と、
報告を作成する手段と、
治療計画を提案する手段と、
前記コンピュータネットワークに情報を転送する手段と、
前記コンピュータネットワークから情報を受け取る手段と
を含む、モバイルコンピューティングデバイス。
【請求項９９】
情報キャリアスロットを更に備えた、請求項９８記載のモバイルコンピューティングデバイス。
【請求項１００】
医療装置のインターフェースを更に備えた、請求項９８または９９記載のモバイルコンピューティングデバイス。